(57)【要約】      （修正有）【課題】新鮮な空気を取り入れたり、結露を防止するために半開状態とされることが多い窓であっても、侵入者の外部磁石を用いた不正操作を防止できる半開窓の防犯センサを提供する。【解決手段】窓２の一方の扉３の内側に駆動磁石４を、他方の扉５の駆動磁石４に相対する位置に磁気感応スイッチ７を取り付け、駆動磁石と磁気感応スイッチの近接又は離間によって窓２の開閉状態を検知する防犯センサ１であって、駆動磁石は、窓が閉まっているときに近接することにより磁気感応スイッチの接点７ａ、７ｂを相反する極に磁化してオン状態にし、窓の扉を開けようとするとき所定の間隔まで前記磁気感応スイッチの接点を相反する極に磁化して前記オン状態を継続する第一の磁石８と磁石８が離間することにより、接点７ａ、７ｂを同じ極に磁化してオフ状態にする第二の磁石９とを備える。【選択図】図１
0003132307.tif 000002
【実用新案登録請求の範囲】
【請求項１】
窓の一方の扉の内側に駆動磁石を、他方の扉の前記駆動磁石に相対する位置に磁気感応スイッチを取り付け、前記駆動磁石と前記磁気感応スイッチの近接又は離間によって窓の開閉状態を検知する防犯センサであって、前記駆動磁石は、窓が閉まっているとき前記磁気感応スイッチに近接することにより前記磁気感応スイッチの接点を相反する極に磁化してオン状態にし、窓の扉を開けようとするとき所定の間隔まで前記磁気感応スイッチの接点を相反する極に磁化して前記オン状態を継続する長さを有する第一の磁石と、窓の扉を所定の間隔以上開けたとき前記第一の磁石が離間することにより前記磁気感応スイッチの接点をオフ状態に復元し、かつ前記磁気感応スイッチに近接することにより前記磁気感応スイッチの接点を同じ極に磁化してオフ状態にする第二の磁石とを備えることを特徴とする半開窓の防犯センサ。
【請求項２】
前記駆動磁石は、窓が閉まっている状態から窓の扉が開く移動方向に沿って、前記第一の磁石と前記第二の磁石が併設されることを特徴とする請求項１記載の半開窓の防犯センサ。
【請求項３】
前記第一の磁石は、近接により前記磁気感応スイッチの接点を相反する極に磁化してオン状態にするために、前記磁気感応スイッチに相対する面側がそれぞれ異なる磁極を有する２つの磁石からなり、前記２つの磁石を前記磁気感応スイッチの両端に設けることを特徴とする請求項１又は２記載の半開窓の防犯センサ。
【請求項４】
前記第一の磁石は、近接により前記磁気感応スイッチの接点を相反する極に磁化してオン状態にするために、両端が異なる磁極を有する１つの磁石からなることを特徴とする請求項１又は２記載の半開窓の防犯センサ。
【請求項５】
前記第二の磁石は、近接により前記磁気感応スイッチの接点を同じ極に磁化してオフ状態にするために、前記磁気感応スイッチに相対する面側がいずれか一方の磁極を有する少なくとも１つの磁石からなることを特徴とする請求項１から４のいずれか１つに記載の半開窓の防犯センサ。
【請求項６】
前記磁気感応スイッチは、リードスイッチからなることを特徴とする請求項１から５のいずれか１つに記載の半開窓の防犯センサ。
【考案の詳細な説明】
【技術分野】
【０００１】
本考案は、窓や扉の開閉を検知する防犯センサに関し、特に新鮮な空気を取り入れたり、結露を防止するために半開状態とされることが多い窓に適用され、侵入者が外部磁石を用いて防犯センサが誤動作するように操作してもその不正操作を防止することができる半開窓の防犯センサに関する。
【背景技術】
【０００２】
従来、窓や扉の防犯センサとしては、リードスイッチと磁石を組み合わせたマグネットセンサ方式が主流となっている。
【０００３】
図４は、引き違い窓に使用される従来のマグネットセンサ方式の防犯センサを示した構成図である。
【０００４】
図において１０１は引き違い窓１０２の一方の扉１０３に設置されたリードスイッチ、１０４は他方の扉１０５に設置された磁石である。窓１０２が閉まっている状態では、リードスイッチ１０１と磁石１０４は近接しているので、磁石１０４の磁化作用によりリードスイッチ１０１はオン状態とされている。
【０００５】
この状態で窓１０２を開けようとすると、扉１０３、１０５の移動によりリードスイッチ１０１と磁石１０４が離れていき、リードスイッチ１０１に対する磁石１０４の磁化作用がなくなるので、リードスイッチ１０１のリード片の開離力（弾性力）によりリードスイッチ１０１はオフ状態となる。このリードスイッチ１０１のオフ状態を検知して警報器（図示せず）を作動させる。
【０００６】
このような防犯センサにおいて、新鮮な空気を取り入れたり、結露を防止するために窓を半開状態とすると、直ちに警報器が作動するので、窓を開けても所定間隔であれば警報器が作動しないように磁石の幅を長くしたり(特許文献１)、窓が所定間隔以上に開くまでは警報器が作動しないようにリードスイッチを複数個備えた(特許文献２) 文献が開示されている。
【０００７】
【特許文献１】実公昭６１−１７５１２号公報
【特許文献２】特開２００２−１７５５７０号公報
【考案の開示】
【考案が解決しようとする課題】
【０００８】
しかしながら、特許文献１〜２で開示された技術は、窓が所定間隔以上開いても図４に示す外部磁石１０６を用いた不正操作により、窓が閉まっている状態と同じリードスイッチのオン状態を作り出して警報器が作動しない状況が作り出せるという問題点があった。
【０００９】
本考案は、上記の問題点に鑑みて、新鮮な空気を取り入れたり、結露を防止するために半開状態とされることが多い窓であっても、侵入者の外部磁石を用いた不正操作を防止できる半開窓の防犯センサを提供することを目的とする。
【課題を解決するための手段】
【００１０】
上記目的を達成するため、請求項１記載の半開窓の防犯センサは、窓の一方の扉の内側に駆動磁石を、他方の扉の前記駆動磁石に相対する位置に磁気感応スイッチを取り付け、駆動磁石と磁気感応スイッチの近接又は離間によって窓の開閉状態を検知する防犯センサであって、駆動磁石は、窓が閉まっているとき磁気感応スイッチに近接することにより磁気感応スイッチの接点を相反する極に磁化してオン状態にし、窓の扉を開けようとするとき所定の間隔まで磁気感応スイッチの接点を相反する極に磁化してオン状態を継続する長さを有する第一の磁石と、窓の扉を所定の間隔以上開けたとき第一の磁石が離間することにより磁気感応スイッチの接点をオフ状態に復元し、かつ磁気感応スイッチに近接することにより磁気感応スイッチの接点を同じ極に磁化してオフ状態にする第二の磁石とを備えることを特徴とするものである。
【００１１】
また、請求項２記載の半開窓の防犯センサは、請求項１記載の半開窓の防犯センサであって、駆動磁石は、窓が閉まっている状態から窓の扉が開く移動方向に沿って、第一の磁石と第二の磁石が併設されることを特徴とするものである。
【００１２】
また、請求項３記載の半開窓の防犯センサは、請求項１又は２記載の半開窓の防犯センサであって、第一の磁石は、近接により磁気感応スイッチの接点を相反する極に磁化してオン状態にするために、磁気感応スイッチに相対する面側がそれぞれ異なる磁極を有する２つの磁石からなり、２つの磁石を磁気感応スイッチの両端に設けることを特徴とするものである。
【００１３】
また、請求項４記載の半開窓の防犯センサは、請求項１又は２記載の半開窓の防犯センサであって、第一の磁石は、近接により磁気感応スイッチの接点を相反する極に磁化してオン状態にするために、両端が異なる磁極を有する１つの磁石からなることを特徴とするものである。
【００１４】
また、請求項５記載の半開窓の防犯センサは、請求項１から４のいずれか１つに記載の半開窓の防犯センサであって、第二の磁石は、近接により磁気感応スイッチの接点を同じ極に磁化してオフ状態にするために、磁気感応スイッチに相対する面側がいずれか一方の磁極を有する少なくとも１つの磁石からなることを特徴とするものである。
【００１５】
また、請求項６記載の半開窓の防犯センサは、請求項１から５のいずれか１つに記載の半開窓の防犯センサであって、磁気感応スイッチは、リードスイッチからなることを特徴とするものである。
【考案の効果】
【００１６】
本考案の半開窓の防犯センサによれば、窓の一方の扉の内側に駆動磁石を、他方の扉の前記駆動磁石に相対する位置に磁気感応スイッチを取り付け、駆動磁石と磁気感応スイッチの近接又は離間によって窓の開閉状態を検知する防犯センサであって、駆動磁石は、窓が閉まっているとき磁気感応スイッチに近接することにより磁気感応スイッチの接点を相反する極に磁化してオン状態にし、窓の扉を開けようとするとき所定の間隔まで磁気感応スイッチの接点を相反する極に磁化してオン状態を継続する長さを有する第一の磁石と、窓の扉を所定の間隔以上開けたとき第一の磁石が離間することにより磁気感応スイッチの接点をオフ状態に復元し、かつ磁気感応スイッチに近接することにより磁気感応スイッチの接点を同じ極に磁化してオフ状態にする第二の磁石とを備える構造とすることにより、新鮮な空気を取り入れたり、結露を防止するために半開状態とされることが多い窓であっても、侵入者の外部磁石を用いた不正操作を防止できる半開窓の防犯センサを提供することができる。
【考案を実施するための最良の形態】
【００１７】
本考案の実施の形態を、添付図面に例示した本考案の実施例に基づいて以下に具体的に説明する。
【実施例】
【００１８】
先ず、本考案の半開窓の防犯センサを引き違い窓に適用した実施例について、図１〜図３を参照しながら説明する。
【００１９】
図１は本考案の半開窓の防犯センサが引き違い窓に取り付けられた状態を示した構成図である。図において半開窓の防犯センサ１は、引き違い窓２の一方の扉３の内側に取り付けられた駆動磁石４と他方の扉５の内側に取り付けられた開閉センサ６とから構成され、開閉センサ６には他方の扉５の駆動磁石４に相対する位置に取り付けられた磁気感応スイッチとしてのリードスイッチ７が含まれる。
【００２０】
駆動磁石４は、窓２が閉まっているときリードスイッチ７に近接することによりリードスイッチ７の接点７ａ、７ｂを相反する極に磁化してオン状態にし、窓の扉を開けようとするとき所定の間隔までリードスイッチ７の接点７ａ、７ｂを相反する極に磁化してオン状態を継続する長さを有する第一の磁石８と、窓の扉を所定の間隔以上開けたとき第一の磁石８が離間することによりリードスイッチ７の接点７ａ、７ｂをオフ状態に復元し、かつリードスイッチ７に近接することによりリードスイッチ７の接点７ａ、７ｂを同じ極に磁化してオフ状態にする第二の磁石９とを備える。第一の磁石８と第二の磁石９は、窓２が閉まっている状態から窓が開く移動方向に沿って併設される。
【００２１】
第一の磁石８は、２つの磁石Ａ、Ｂからなり、近接によりリードスイッチ７の接点７ａ、７ｂを相反する極に磁化してオン状態にするために、磁石Ａのリードスイッチ７に相対する面側を一方の極、例えば、Ｎ極（又はＳ極）に、磁石Ｂのリードスイッチ７に相対する面側を他方の極、例えば、Ｓ極（又はＮ極）にして、磁石Ａをリードスイッチ７の両端に位置する一方のリード片側に、磁石Ｂを他方のリード片側に設ける。
【００２２】
第二の磁石９は、少なくとも１つの磁石Ｃからなり、近接によりリードスイッチ７の接点７ａ、７ｂを同じ極に磁化してオフ状態にするために、リードスイッチ７に相対する面側をいずれか一方の極、例えば、Ｎ極（又はＳ極）にして、リードスイッチ７の中央に設ける。
【００２３】
以上のように構成された本考案による半開窓の防犯センサの作用について説明する。窓２の扉３、５が閉まっているときは駆動磁石４の第一の磁石８とリードスイッチ７は近接しているので、磁石Ａ、Ｂによりリードスイッチ７のリード片は相反する極に磁化され接点７ａ、７ｂがオン状態とされる。
【００２４】
この状態から窓２の扉３、５を開けようとすると、第一の磁石８である磁石Ａ、Ｂは所定の間隔までリードスイッチ７のオン状態を継続する長さを有するので警報器は作動せず、窓２の扉３、５を所定の間隔以上開けたとき磁石Ａ、Ｂとリードスイッチ７は離間することによりリード片の磁化作用が消え、リードスイッチ７の接点７ａ、７ｂはオフ状態に復元する。かつ窓が開く移動方向に沿って併設された第二の磁石９である磁石Ｃとリードスイッチ７の近接により、リードスイッチ７のリード片は同じ極に磁化され接点７ａ、７ｂはオフ状態とされる。この接点７ａ、７ｂのオフ状態を検知して警報器を作動させる。
【００２５】
本考案の半開窓の防犯センサにおいて、図２に示すように、不審者が不正操作を試みようとして窓２の外から外部磁石１０をリードスイッチ７に近接させて窓２の扉３、５を開けようとしても、外部磁石１０の磁力より第二の磁石９の磁力の方が勝っているためリードスイッチ７の接点７ａ、７ｂは同じ極に磁化されてオフ状態にされ、この接点７ａ、７ｂのオフ状態を検知して警報器を作動させる。
【００２６】
以上の説明では、第一の磁石８は、リードスイッチ７に相対する面側がそれぞれ異なる磁極を有する２つの磁石Ａ，Ｂの代わりに、図３に示すように、両端が異なる磁極を有する１つの磁石Ｄで構成することもできる。
【００２７】
また、第二の磁石９は、１つの磁石Ｃに限らず、リードスイッチ７に相対する面側をいずれか一方の極にした複数の磁石をリードスイッチ７に沿って並べた構成としても良い。
【００２８】
なお、以上の説明では、本考案の半開窓の防犯センサを左右どちらからでも開けられる引き違い窓に適用した実施例で説明したが、一方だけの片引き窓、上下にスライドさせて開閉する上げ下げ窓、左右いずれかを軸に開閉する開き窓、外側に押して開く押し出し窓等のあらゆる窓に適用することが可能である。
【００２９】
以上説明したように、本考案の半開窓の防犯センサによれば、窓の一方の扉の内側に駆動磁石を、他方の扉の駆動磁石に相対する位置に磁気感応スイッチを取り付け、駆動磁石と磁気感応スイッチの近接又は離間によって窓の開閉状態を検知する防犯センサであって、駆動磁石は、窓が閉まっているとき磁気感応スイッチに近接することにより磁気感応スイッチの接点を相反する極に磁化してオン状態にし、窓の扉を開けようとするとき所定の間隔まで前記磁気感応スイッチの接点を相反する極に磁化して前記オン状態を継続する長さを有する第一の磁石と、窓の扉を所定の間隔以上開けたとき第一の磁石が離間することにより磁気感応スイッチの接点をオフ状態に復元し、かつ磁気感応スイッチに近接することにより磁気感応スイッチの接点を同じ極に磁化してオフ状態にする第二の磁石とを備える構造とすることにより、新鮮な空気を取り入れたり、結露を防止するために半開状態とされることが多い窓であっても、侵入者の外部磁石を用いた不正操作を防止できる半開窓の防犯センサを提供することができる。
【図面の簡単な説明】
【００３０】
【図１】本考案の半開窓の防犯センサが引き違い窓に取り付けられた状態を示した構成図。
【図２】本考案の半開窓の防犯センサが不審者により不正操作を試みようとした状態を示した説明図。
【図３】本考案の半開窓の防犯センサの他の実施例を示した説明図。
【図４】従来のマグネットセンサ方式の防犯センサを示した構成図。
【符号の説明】
【００３１】
１・・・半開窓の防犯センサ
２・・・引き違い窓
４・・・駆動磁石
６・・・開閉センサ
７・・・磁気感応スイッチとしてのリードスイッチ
７ａ、７ｂ・・・リードスイッチの接点
８・・・第一の磁石
９・・・第二の磁石
【図１】
0003132307.tif 000003
【図２】
0003132307.tif 000004
【図３】
0003132307.tif 000005
【図４】
0003132307.tif 000006